(57)【要約】電池管理装置、方法及びチップが提供され、装置において、アナログデジタル変換モジュールは、第１電源接続端、第２電源接続端及びインピーダンス測定モジュールに接続され、接続電源とインピーダンス測定モジュールとの間にアナログデジタル変換を実現するように構成され、接続電源は、前記電池管理装置が動作するときに、第１電源接続端及び第２電源接続端が接続した電源であり、インピーダンス測定モジュールは、比較器モジュール、駆動モジュールにさらに接続され、接続電源のインピーダンスをテストするように構成され、比較器モジュールは、駆動モジュール及び励起信号生成モジュールにより引き起こされる遅延を補償するように構成され、駆動モジュールは、電池管理装置を動作させるように駆動するように構成され、励起信号生成モジュールは、比較器モジュール、駆動モジュール、第１電源接続端、及び第２電源接続端に接続される。本願の実施例では、インピーダンスを正確にテストすることにより、テスト対象の電源性能の指標を正確に測定できる。【選択図】図１
2021501960.tif 000002
【特許請求の範囲】
【請求項１】
アナログデジタル変換モジュール、インピーダンス測定モジュール、比較器モジュール、駆動モジュール、励起信号生成モジュール、第１電源接続端、及び第２電源接続端を備え、
前記アナログデジタル変換モジュールは、前記第１電源接続端、前記第２電源接続端及び前記インピーダンス測定モジュールに接続され、接続電源と前記インピーダンス測定モジュールとの間にアナログデジタル変換を実現するように構成され、前記接続電源は、前記電池管理装置が動作するときに、前記第１電源接続端及び前記第２電源接続端が接続した電源であり、
前記インピーダンス測定モジュールは、前記比較器モジュール、前記駆動モジュールにさらに接続され、前記接続電源のインピーダンスをテストするように構成され、前記比較器モジュールは、前記駆動モジュール及び前記励起信号生成モジュールにより引き起こされる遅延を補償するように構成され、前記駆動モジュールは、前記電池管理装置を動作させるように駆動し、
前記励起信号生成モジュールは、前記比較器モジュール、前記駆動モジュール、前記第１電源接続端、及び前記第２電源接続端に接続され、励起信号を生成するように構成される、
ことを特徴とする電池管理装置。
【請求項２】
前記励起信号生成モジュールは、電界効果ユニット及び抵抗を備え、
前記電界効果ユニットのゲート端子が前記駆動モジュールに接続され、
前記電界効果ユニットのドレイン端子が、前記比較器モジュール、前記抵抗の一端に接続され、
前記電界効果ユニットのソース端子が前記第２電源接続端に接続され、
前記抵抗の他端が前記第１電源接続端に接続される、
ことを特徴とする請求項１に記載の電池管理装置。
【請求項３】
前記電界効果ユニットの寄生パラメータ容量値は第１の予め設定された条件を満たす、
ことを特徴とする請求項２に記載の電池管理装置。
【請求項４】
前記電界効果ユニットのドレインソース抵抗は第２の予め設定された条件を満たし、前記ドレインソース抵抗は前記電界効果ユニットのソース端子とドレイン端子との間の抵抗である、
ことを特徴とする請求項２に記載の電池管理装置。
【請求項５】
前記駆動モジュールの駆動電力は第３の予め設定された条件を満たす、
ことを特徴とする請求項２に記載の電池管理装置。
【請求項６】
前記比較器モジュールはレジスタユニットを備え、前記接続電源は、予め設定された直流電源、テスト対象の電源を備え、
前記インピーダンス測定モジュールは、さらに、前記第１電源接続端及び前記第２電源接続端が前記予め設定された直流電源に接続されるときに、遅延値を測算するように構成され、
前記レジスタユニットは、レジスタ値を前記遅延値に設定するように構成され、
前記インピーダンス測定モジュールは、さらに、前記第１電源接続端及び前記第２電源接続端が前記テスト対象の電源に接続されるときに、前記テスト対象の電源のインピーダンス値を測算するように構成される、
ことを特徴とする請求項１に記載の電池管理装置。
【請求項７】
自動車電池管理システムに適用される、
ことを特徴とする請求項１〜６のいずれか１項に記載の電池管理装置。
【請求項８】
請求項１〜７のいずれか１項に記載の電池管理装置に適用されており、
前記第１電源接続端及び前記第２電源接続端が前記予め設定された直流電源に接続されるときに、遅延値を測算するステップと、
前記レジスタユニットのレジスタ値を前記遅延値に設定するステップと、
前記第１電源接続端及び前記第２電源接続端が前記テスト対象の電源に接続されるときに、前記テスト対象の電源のインピーダンス値を測算するステップとを含む、
ことを特徴とする電池管理方法。
【請求項９】
前記テスト対象の電源のインピーダンス値に基づき、前記テスト対象の電源を管理するステップをさらに含む、
ことを特徴とする請求項８に記載の電池管理方法。
【請求項１０】
少なくとも１つの請求項１〜５のいずれか１項に記載の電池管理装置を備え、少なくとも１つの前記電池管理装置がカスケード接続され、各前記電池管理装置は１つのテスト対象の電源を対応して管理する、
ことを特徴とする電池管理チップ。
【発明の詳細な説明】
【技術分野】
【０００１】
本願は、２０１８年１０月２３日に中国特許局に提出された出願番号が２０１８１１２３９８１２．６、発明の名称が「電池管理装置、方法及びチップ」である中国特許出願の優先権を主張し、そのすべての内容が援用により本願に組み込まれる。
【０００２】
本願は、新エネルギーの技術分野に関し、特に電池管理装置、方法及びチップに関する。
【背景技術】
【０００３】
新エネルギー技術の発展に伴って、ハイブリッド電気自動車及び電気自動車についての研究がますます多くなる。ハイブリッド電気自動車及び電気自動車では、電池は動力源であり、電池の健康状態は、ハイブリッド電気自動車及び電気自動車の重要な指標である。
【０００４】
従来技術では、電池指標管理を行うときに、電池の温度指標を管理するのが一般的であり、センサなどを介して電池の温度を検出し、２つ又は３つの制御値を設定し、温度が設定されたある限界高温に達するとき、電池管理システムは、電池の出力電力を制限することなどにより、電池を管理することができる。
【０００５】
しかしながら、従来技術では、電池を測定して管理するとき、電池の温度が所定の値に達したときにしか、対応する管理を行うことができず、温度値の測定は、外部温度などによる影響を受けやすく、測定が十分に正確ではなく、それにより、電池を良好に管理することができない。
【発明の概要】
【発明が解決しようとする課題】
【０００６】
本願の実施例は、電池管理をする際に、指標のテストが正確ではないという技術的課題を解決するために、電池管理装置、方法及びチップを提供する。
【課題を解決するための手段】
【０００７】
上記技術的課題を解決するために、第１態様では、本願の実施例は、電池管理装置を提供し、該電池管理装置は、
アナログデジタル変換モジュール、インピーダンス測定モジュール、比較器モジュール、駆動モジュール、励起信号生成モジュール、第１電源接続端、及び第２電源接続端を備え、
前記アナログデジタル変換モジュールは、前記第１電源接続端、前記第２電源接続端及び前記インピーダンス測定モジュールに接続され、接続電源と前記インピーダンス測定モジュールとの間にアナログデジタル変換を実現し、前記接続電源は、前記電池管理装置が動作するときに、前記第１電源接続端及び前記第２電源接続端が接続した電源であり、
前記インピーダンス測定モジュールは、前記比較器モジュール、前記駆動モジュールにさらに接続され、前記接続電源のインピーダンスをテストし、前記比較器モジュールは、前記駆動モジュール及び前記励起信号生成モジュールにより引き起こされる遅延を補償し、前記駆動モジュールは、前記電池管理装置を動作させるように駆動し、
前記励起信号生成モジュールは、前記比較器モジュール、前記駆動モジュール、第１電源接続端、及び前記第２電源接続端に接続され、励起信号を生成する。
【０００８】
第２態様では、本願の実施例は、電池管理方法をさらに提供し、前記方法は、上記電池管理装置に適用され、
前記第１電源接続端及び前記第２電源接続端が前記予め設定された直流電源に接続されるときに、遅延値を測算するステップと、
前記レジスタユニットのレジスタ値を前記遅延値に設定するステップと、
前記第１電源接続端及び前記第２電源接続端が前記テスト対象の電源に接続されるときに、前記テスト対象の電源のインピーダンス値を測算するステップとを含む。
【０００９】
第２態様では、本願の実施例は、チップをさらに提供し、該チップは、少なくとも１つの上記電池管理装置を備え、少なくとも１つの前記電池管理装置がカスケード接続され、各前記電池管理装置は１つのテスト対象の電源を対応して管理する。
【発明の効果】
【００１０】
本願の実施例は、アナログデジタル変換モジュール、インピーダンス測定モジュール、比較器モジュール、駆動モジュール、励起信号生成モジュール、第１電源接続端、及び第２電源接続端を備える電池管理装置を提供する。比較器モジュールは、駆動モジュール及び励起信号生成モジュールにより引き起こされる遅延を補償できるため、インピーダンス測定モジュールは第１電源接続端及び第２電源接続端が接続したテスト対象の電源（たとえば電池）のインピーダンスを正確に測定することができる。インピーダンスは、電池ＳＯＨ（ｓｔａｔｅ−ｏｆ−ｈｅａｌｔｈ、健康状態）、ＳＯＣ（ｓｔａｔｅ−ｏｆ−ｃｈａｒｇｅ、充電状態）を反映する最適な指標であり、且つインピーダンスの結果と電池の温度との間は対応する関係がある。従って、本願の実施例の電池管理装置によれば、インピーダンスを正確にテストすることにより、テスト対象の電源の性能指標を正確に測定することができる。
【図面の簡単な説明】
【００１１】
【図１】本願の実施例１の電池管理装置の構造ブロック図である。
【図２】本願の移動端末の実施例２の電池管理方法のステップのフローチャートである。
【図３】本願の実施例の電池管理チップのカスケード接続の概略図である。
【発明を実施するための形態】
【００１２】
以下、本願の実施例における図面を参照しながら、本願の実施例における技術案を明瞭で完全に説明し、勿論、説明する実施例は、本願のいくつかの実施例に過ぎず、全ての実施例ではない。本願における実施例に基づいて、当業者が創造的な努力を必要とせずに得たすべての他の実施例は、本願の保護範囲に属する。
【００１３】
実施例１
図１は、本願の実施例における電池管理装置の構造ブロック図を示す。
【００１４】
本願の実施例では、電池管理装置は自動車電池管理システム（ＢＭＳ、Ｂａｔｔｅｒｙ  Ｍａｎａｇｅｍｅｎｔ  Ｓｙｓｔｅｍ）に適用でき、電池管理装置によって電池の性能を正確に測定することができる。
【００１５】
本願の実施例では、図１に示されるように、前記電池管理装置は、アナログデジタル変換モジュール１０、インピーダンス測定モジュール２０、比較器モジュール３０、駆動モジュール４０、励起信号生成モジュール５０、第１電源接続端６１、及び第２電源接続端６２を備え、
前記アナログデジタル変換モジュール１０は、前記第１電源接続端６１、前記第２電源接続端６２及び前記インピーダンス測定モジュール２０に接続され、接続電源と前記インピーダンス測定モジュール２０との間にアナログデジタル変換を実現するように構成され、前記接続電源は、前記電池管理装置が動作するときに、前記第１電源接続端６１及び前記第２電源接続端６２が接続した電源であり、
前記インピーダンス測定モジュール２０は、前記比較器モジュール３０、前記駆動モジュール４０にさらに接続され、前記接続電源のインピーダンスをテストするように構成され、前記比較器モジュール３０は、前記駆動モジュール４０及び前記励起信号生成モジュール５０により引き起こされる遅延を補償するように構成され、前記駆動モジュール４０は、前記電池管理装置を動作させるように駆動し、前記励起信号生成モジュール５０は、前記比較器モジュール３０、前記駆動モジュール４０、第１電源接続端６１、及び前記第２電源接続端６２に接続され、励起信号を生成するように構成される。
【００１６】
本願の実施例では、電池管理装置の第１電源接続端６１及び第２電源接続端６２が電源に接続して動作し始めると、駆動モジュール４０は、励起信号生成モジュール５０を動作させるように駆動し、励起信号生成モジュール５０により励起信号が生成され、励起信号はインピーダンス測定モジュール２０がインピーダンスを測定するときに必要とされる信号であり、比較器モジュール３０を介して、励起信号生成モジュール５０の電圧をフィードバックするように構成されるフィードバック信号をインピーダンス測定モジュール２０に出力することができる。接続電源が理想的な電源（位相シフトがほとんど発生しない電源）である場合、インピーダンス測定モジュール２０は、駆動モジュール４０の入力信号と比較器モジュール３０の出力信号とを比較することにより、駆動モジュール４０と励起信号生成モジュール５０との間の遅延値を容易に取得し、且つ該遅延値を比較器モジュール３０の補償値として設定することができる。従って、接続電源の信号が駆動モジュール４０及び励起信号生成モジュール５０によって伝播されるときに生じる遅延は、比較器モジュール３０が補償値を計算することにより補償することができる。且つ、アナログデジタル変換モジュール１０は、収集された接続電源の電圧信号をデジタル信号に変換して、インピーダンス測定モジュール２０に送信し、それにより、インピーダンス測定モジュール２０において、変調復調などの処理により正確な接続電源のインピーダンスを得ることができる。
【００１７】
本願の実施例では、接続電源は電池であってもよく、電池のインピーダンスは、一般的には、振幅及び位相の方式で表すことができる。具体的な応用では、インピーダンス測定モジュール２０は、直交などの計算方法により、接続電源のインピーダンス値をテストすることができる。インピーダンス値は、通常、インピーダンス実部値及びインピーダンス虚部値を含み、インピーダンス値の状況は、接続電源の動作状況及び温度状況を反映することができ、それにより、接続電源に対する電力低減、停止、充電などの管理操作をさらに行うことができる。
【００１８】
本願の実施例の好ましい態様として、図１に示されるように、前記励起信号生成モジュール５０は、電界効果ユニット５１及び抵抗５２を備え、
前記電界効果ユニット５１のゲート端子が前記駆動モジュール４０に接続され、前記電界効果ユニット５１のドレイン端子が、前記比較器モジュール３０、前記抵抗５２の一端に接続され、前記電界効果ユニット５１のソース端子が前記第２電源接続端６２に接続され、前記抵抗５２の他端が前記第１電源接続端６１に接続される。
【００１９】
本願の実施例では、駆動モジュール４０は、電界効果ユニット５１のオフ及びオンを制御することができる。電界効果ユニット５１は、オン状態である場合、外部抵抗５２と共に回路を形成し、それにより、電池管理装置によって構成された回路で励起電流を生成することができる。この場合、比較器モジュール３０の一端が電界効果ユニット５１のドレイン端子に接続され、他端がインピーダンス測定モジュール２０に接続される。比較器モジュール３０は、駆動モジュール４０の入力信号と比較器モジュール３０の出力信号を比較することにより、駆動モジュール４０と電界効果ユニット５１のドレイン端子との間の遅延値を計算して、この遅延値を電池インピーダンス測定中の位相誤差補償に用いることができる。それにより、インピーダンス測定モジュール２０により電池内部のインピーダンス値を正確に計算することができる。
【００２０】
具体的な応用では、駆動モジュール４０の駆動能力が強いほど、電池管理装置に占める面積がより大きくなり、特に電池管理装置が集積回路チップに設置される場合、駆動能力の強い駆動モジュール４０は大きな面積のオーバーヘッドを占める。従って、電池管理装置の面積のオーバーヘッドを低減させるために、一般的には、駆動モジュール４０の駆動能力を小さく設定し、好ましくは、前記駆動モジュール４０の駆動電力が第３の予め設定された条件を満たす。具体的な応用では、駆動電力が第３の予め設定された条件満たすのは、駆動電力が予め設定された電力よりも小さいことであり得る。予め設定された電力は、実際の応用シーンに応じて当業者によって決定されてもよく、本願の実施例では、これについて特に限定しない。
【００２１】
具体的な応用では、駆動モジュール４０の駆動能力が弱く、電界効果ユニット５１のゲート端子とソース端子の寄生パラメータ容量値が大きい場合、駆動モジュール４０と電界効果ユニット５１の信号伝播には大きな遅延がある。ただし、良好な信号対雑音比性能を有する励起信号（たとえば励起電流）を生成するために、通常、大きなサイズの寄生パラメータ容量を有する電界効果ユニット５１を設定する必要がある。且つ、測定精度を向上させるために、通常、電界効果ユニット５１が小さいドレインソース抵抗を有するように設定される。好ましくは、前記電界効果ユニット５１の寄生パラメータ容量値は第１の予め設定された条件を満たし、前記電界効果ユニット５１のドレインソース抵抗は第２の予め設定された条件を満たし、前記ドレインソース抵抗は前記電界効果ユニット５１のソース端子とドレイン端子との間の抵抗である。
【００２２】
具体的な応用では、寄生パラメータ容量値が第１の予め設定された条件を満たすのは、寄生パラメータ容量値が予め設定された容量値よりも大きいことであり得る。予め設定された容量値は、実際の応用シーンに応じて当業者によって決定されてもよく、本願の実施例では、これについて特に限定しない。ドレインソース抵抗が第２の予め設定された条件を満たすのは、ドレインソース抵抗値が予め設定された抵抗値よりも小さいことであり得る。そのうち、予め設定された抵抗値は、実際の応用シーンに応じて当業者によって決定されてもよく、本願の実施例では、これについて特に限定しない。
【００２３】
本願の実施例では、比較器モジュール３０は、電界効果ユニット５１のドレイン端子の電圧を監視することができる。比較器モジュール３０は、駆動モジュール４０と電界効果ユニット５１との間の遅延よりもはるかに小さい高速比較器であってもよく、駆動モジュール４０の入力信号と比較器モジュール３０の出力信号を比較することにより、駆動モジュール４０と電界効果ユニット５１との間の遅延値を容易に計算することができる。好ましくは、比較器モジュール３０はレジスタユニットを備え、この場合、レジスタユニットのレジスタ値を該遅延値に設定することができ、それにより、駆動モジュール４０及び電界効果ユニット５１により引き起こされる遅延を補償する。
【００２４】
具体的な応用では、電池管理装置の各モジュールを組み立てた後に、電池管理装置を理想的な電源に接続して、比較器モジュール３０のレジスタユニットにおける設定すべき遅延値を決定することができ、この場合、該遅延値は、該電池管理装置に合致する遅延値である。後続の電池管理装置により実際に電池を管理するとき、正確な電池インピーダンス値が得られる。
【００２５】
本願の実施例の好ましい態様として、前記接続電源は、予め設定された直流電源、テスト対象の電源を備え、前記インピーダンス測定モジュール２０は、さらに、前記第１電源接続端６１及び前記第２電源接続端６２が前記予め設定された直流電源に接続されるときに、遅延値を測算するように構成され、前記レジスタユニットは、レジスタ値を前記遅延値に設定するように構成され、前記インピーダンス測定モジュール２０は、さらに、前記第１電源接続端６１及び前記第２電源接続端６２が前記テスト対象の電源に接続されるときに、前記テスト対象の電源のインピーダンス値を測算するように構成される。
【００２６】
本願の実施例では、予め設定された直流電源は、位相シフトがほとんど発生しないほぼ理想的な電源であってもよい。従って、第１電源接続端６１及び第２電源接続端６２が予め設定された直流電源に接続されるときに、インピーダンス測定モジュール２０は、駆動モジュール４０及び電界効果ユニット５１により引き起こされる遅延値をテストすることができ、比較器モジュール３０のレジスタユニットがレジスタ値を該遅延値に設定するように構成されると、駆動モジュール４０及び電界効果ユニット５１により引き起こされる遅延を補償することができる。第１電源接続端６１及び第２電源接続端６２がテスト対象の電源に接続されるときに、駆動モジュール４０及び電界効果ユニット５１により引き起こされる遅延を、テスト対象の電源の遅延として誤って計算することを回避でき、このため、測算されるテスト対象の電源のインピーダンス値がより正確になる。
【００２７】
本願の実施例では、比較器モジュール３０により、駆動モジュール４０及び電界効果ユニット５１により引き起こされる遅延を補償することができる。比較器モジュール３０は、さらに、電池管理のニーズを満たすように、電界効果ユニット５１の性能を検出するように構成されてもよい。且つ、比較器モジュール３０は、わずかな面積のオーバーヘッドしか必要としない。
【００２８】
具体的な応用では、電界効果ユニット５１は、ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ、金属酸化物半導体電界効果トランジスタ）トランジスタであってもよく、又は、他の電界効果トランジスタであってもよく、本願の実施例では、電界効果ユニット５１のタイプについて特に限定しない。
【００２９】
以上のように、本願の実施例は、アナログデジタル変換モジュール、インピーダンス測定モジュール、比較器モジュール、駆動モジュール、励起信号生成モジュール、第１電源接続端、及び第２電源接続端を備える電池管理装置を提供する。比較器モジュールは、駆動モジュール及び励起信号生成モジュールにより引き起こされる遅延を補償することができるため、インピーダンス測定モジュールは第１電源接続端及び第２電源接続端が接続したテスト対象の電源（たとえば電池）のインピーダンスを正確に測定することができる。インピーダンスは、電池ＳＯＨ、ＳＯＣを反映する最適な指標であり、且つインピーダンスの結果と電池の温度との間に対応する関係がある。従って、本願の実施例の電池管理装置によれば、インピーダンスを正確にテストすることにより、テスト対象の電源の性能指標を正確に測定することができる。
【００３０】
なお、上記の装置の実施例では、説明の便宜上、一連のモジュールの組み合わせとして説明したが、当業者は、本願に基づいていくつかのモジュールが他の部材によって実装され得ることを理解すべきである。また、当業者は、明細書に説明される実施例がすべて好ましい実施例であり、関連する動作又はモジュールが本願に必ずしも必要ではないことも理解すべきである。
【００３１】
実施例２
図２は、本願の実施例における電池管理方法のステップのフローチャートを示す。該方法は、上記いずれかの電池管理装置に適用でき、該方法は、ステップ１０１、ステップ１０２、及びステップ１０３を含む。
【００３２】
ステップ１０１：前記第１電源接続端及び前記第２電源接続端が前記予め設定された直流電源に接続されるときに、遅延値を測算する。
【００３３】
本願の実施例では、予め設定された直流電源は、位相シフトがほとんど発生しないほぼ理想的な電源であってもよく、インピーダンス測定モジュールは遅延値を測算することができる。
【００３４】
ステップ１０２：前記レジスタユニットのレジスタ値を前記遅延値に設定する。
【００３５】
本願の実施例では、比較器モジュールにおいて、レジスタユニットのレジスタ値を、ステップ１０１で測算される遅延値に設定することができる。
【００３６】
ステップ１０３：前記第１電源接続端及び前記第２電源接続端が前記テスト対象の電源に接続されるときに、前記テスト対象の電源のインピーダンス値を測算する。
【００３７】
本願の実施例では、比較器モジュールは、駆動モジュール及び電界効果ユニットにより引き起こされる遅延を補償することができ、第１電源接続端及び第２電源接続端がテスト対象の電源に接続されるときに、駆動モジュール及び電界効果ユニットにより引き起こされる遅延を、テスト対象の電源の遅延として誤って計算することを回避でき、このため、測算されるテスト対象の電源のインピーダンス値がより正確になる。
【００３８】
好ましくは、前記方法は、前記テスト対象の電源のインピーダンス値に基づき、前記テスト対象の電源を管理するステップをさらに含む。
【００３９】
本願の実施例では、テスト対象の電源のインピーダンス値とテスト対象の電源の温度との間は、通常、直接的な対応関係がある。テスト対象の電源のインピーダンス値に基づき、テスト対象の電源の健康状態、充電状態及び温度などの性能指標を反映することができ、さらに、テスト対象の電源を管理することができる。
【００４０】
以上のように、本願の実施例は、電池管理方法を提供し、該電池管理方法は、アナログデジタル変換モジュール、インピーダンス測定モジュール、比較器モジュール、駆動モジュール、励起信号生成モジュール、第１電源接続端、及び第２電源接続端を備える電池管理装置に適用できる。電池管理装置がテスト対象の電源に接続される前に、理想的な電源に近い予め設定された直流電源に接続されることにより、電池管理装置自体の遅延値を測算することにより、電池管理装置自体の遅延を、テスト対象の電源の遅延として誤って計算することを効果的に回避でき、それにより、テスト対象の電源のインピーダンス値をより正確に測算することができる。さらに、レジスタ値を遅延値に設定することにより、比較器モジュールにおいて電池管理装置自体の遅延を直接修正することができる。電池管理装置がテスト対象の電源に接続された後、比較器モジュールは、レジスタ値と組み合わせて遅延値を計算し、該遅延値は、駆動モジュール及び電界効果ユニットによって伝播された後のテスト対象の電源の電圧信号に起因する遅延値である。従って、本願の実施例に係る電池管理方法は、簡単で便利であり、且つ正確で信頼性が高く、それにより、指標テストが正確ではないという従来の電池管理の問題を効果的に解決できる。
【００４１】
上記電池管理方法は、図１の装置の実施例における各モジュールによって実現される各過程を実現することができ、繰り返しを避けるために、ここで贅言しない。
【００４２】
本願の実施例は、電池管理チップをさらに提供し、該電池管理チップは、少なくとも１つの上記電池管理装置を備え、少なくとも１つの前記電池管理装置がカスケード接続され、各前記電池管理装置は１つのテスト対象の電源を対応して管理する。
【００４３】
具体的な応用では、電池管理チップは、少なくとも１つの電池管理装置を備える。異なるデバイスでは、電界効果ユニット５１により引き起こされる遅延に大きな偏差がある可能性があるため、電池管理チップと電池管理装置をアプリケーションボードに組み立てるときに、位相遅延の自動補償の目的を達成するために自動校正が必要である。電池管理チップが１つの電池管理装置を備える場合、電池管理装置は１つのテスト対象の電池を管理し、電池管理装置は、エリアマネージャーに接続されて、テスト対象の電池を管理する。電池管理チップが少なくとも２つの電池管理装置を備える場合、各電池管理装置は１つのテスト対象の電池を対応して管理し、隣接する２つの電池管理装置がカスケード接続されてからエリアマネージャーに接続されてもよく、それにより、エリアマネージャーにより少なくとも２つの電池管理装置を統合管理することができる。図３は、電池管理チップが複数の電池管理装置を備える場合の概略図を示す。従って、本願の実施例における電池管理チップでは、１つの電池管理装置は１つの電池を管理し、さらにエリアマネージャーは統合管理を行い、それにより各電池に対する正確な管理が実現される。
【００４４】
本明細書では、各実施例は徐々に進む方式を採用して説明し、各実施例で説明する主な点はすべて他の実施例との違いであり、各実施例の間の同一又は類似の部分は相互に参照すればよい。
【００４５】
当業者にとって明らかなように、上記各実施例を任意に組み合わせて応用することが可能であるので、上記各実施例の間の任意の組み合わせがいずれも本願の実施形態であるが、紙数の制限により、本明細書ではここで１つずつ詳細に説明しない。
【００４６】
ここで提供される電池管理装置は、いずれの特定のコンピュータ、仮想システム又は他の装置にも本質的に関連するものではない。ここでの教示に基づいて、様々な汎用システムは使用することができる。上記説明に基づき、本願の技術案のシステムを構成するために必要な構造は明らかなことである。また、本願は、任意の特定のプログラミング言語に固有のものではない。様々なプログラミング言語を利用して、本明細書に説明される本願の内容を実現することができ、且つ上記の特定の言語に対する説明は、本願の最適な実施形態を開示するためのものであることを理解すべきである。
【００４７】
ここで提供される明細書では、大量の具体的な詳細が説明されている。しかしながら、本願の実施例が、これらの具体的な詳細なしでも実施可能であることを理解することができる。いくつかの実例では、本明細書の理解を不明瞭にしないように、よく知られた方法、構造、及び技術は詳細に示されていない。
【００４８】
同様に、本開示を簡略化させて各発明態様の１つ又は複数の理解を助けるために、本願の例示的な実施例に対する上記説明に、本願の各特徴が、単一の実施例、図、又はその説明にグループ化される場合があることを理解すべきである。しかしながら、この開示の方法は、請求される出願が各請求項で明示的に記載された特徴よりも多くの特徴を請求するという意図を反映するものとして解釈されるべきではない。むしろ、特許請求の範囲が反映するように、発明態様は、前に開示された単一の実施例のすべての特徴よりも少ないことである。従って、具体的な実施形態に従う特許請求の範囲は、該具体的な実施形態に明瞭に組み込まれ、各請求項自体がいずれも本願の個別の実施例とされる。
【００４９】
当業者は、本願の実施例に開示された実施例と組み合わせて説明された各例示的なモジュール及びアルゴリズムステップが、電子ハードウェア、又はコンピュータソフトウェアと電子ハードウェアとの組み合わせによって実装できることを理解することができる。これらの機能がハードウェアで実行されるか又はソフトウェアで実行されるかは、技術案の特定の応用及び設計制約条件に決められる。当業者は、特定の応用ごとに、異なる方法で、説明される機能を実装することができ、しかし、このような実装が本願の範囲を超えると見なすべきではない。
【００５０】
当業者にとって明らかなように、説明の便宜及び簡潔のために、説明される上記システム、装置及びモジュールの具体的な動作過程は、上記方法の実施例における対応する過程を参照することができ、ここで贅言しない。
【００５１】
なお、本願に係る実施例では、開示された装置及び方法は、他の形態により実現されてもよい。たとえば、以上の説明した装置の実施例は、例示的なものに過ぎず、たとえば、前記モジュールの分割は、論理的な機能の分割に過ぎず、実際の実装では、別の分割方式があってもよく、たとえば、複数のモジュール又はユニットは、別のシステムに組み合わせ又は統合されてもよく、又は一部の特徴は無視されてもよく、又は実行されなくてもよい。また、表示又は検討される相互な結合又は直接的な結合又は通信接続は、いくつかのインタフェース、装置又はモジュールを介した間接的な結合又は通信接続であってもよく、電気的、機械的又は他の形式であってもよい。
【００５２】
分離部品として説明した前記モジュールは、物理的に分割されたものであってもよく、物理的に分割されたものではなくてもよく、モジュールとして表示される部品は、物理的モジュールであってもよく、物理的モジュールでなくてもよく、すなわち、１つの箇所に位置してもよく、又は複数のネットワークモジュールに分布してもよい。実際のニーズに応じて、一部又は全てのモジュールをもって本実施例の技術案の目的を実現することができる。
【００５３】
また、本願の各実施例における各機能モジュールは、１つのプロセスモジュールに統合されてもよく、又は各モジュールが別々に物理的に存在し、さらに、２つ以上のモジュールが１つのモジュールに統合されてもよい。
【００５４】
前記機能は、ソフトウェア機能モジュールの形式で実装され、且つ独立した製品として販売又は使用される場合、コンピュータ読み取り可能な記憶媒体に格納できる。このような知見に基づき、本願の電池管理方法の技術案では、本質的に、又は従来技術に寄与する部分、又は該技術案の一部は、ソフトウェア製品の形式で具現化でき、該コンピュータのソフトウェア製品は、記憶媒体に格納され、コンピュータ装置（パーソナルコンピュータ、サーバ、又はネットワーク装置などであってもよい）に本願における各実施例に記載の方法の全部又は一部のステップを実行させるための複数の命令を含む。前述した記憶媒体は、Ｕディスク、モバイルディスク、ＲＯＭ、ＲＡＭ、磁気ディスク又は光ディスクなどの、プロクラムコードを格納可能なさまざまな媒体を含む。
【００５５】
以上の内容は、本願の具体的な実施形態に過ぎず、本願の保護範囲はこれに限定されず、本願に開示された技術範囲において、当業者が容易に想到できる変化又は置換は、いずれも本願の保護範囲に属すべきである。従って、本願の保護範囲は、特許請求の範囲の保護範囲を基準とすべきである。
【図１】
2021501960.tif 000003
【図２】
2021501960.tif 000004
【図３】
2021501960.tif 000005
【国際調査報告】
2021501960.tif 000006
2021501960.tif 000007
2021501960.tif 000008
2021501960.tif 000009